(57)【要約】【課題】操作ノブを上または下に振ったときの見栄えを向上させることができるレジスタを提供することを目的とする。【解決手段】後可動ルーバ４の縦フィン４０ａの下流側部に扇形歯部４５が設けられ、前可動ルーバ３の横フィン３０に操作ノブ５が摺動可能に外嵌される。操作ノブ５の上流側部に扇形歯部４５に噛合するラック部５５が設けられる。操作ノブ５により前可動ルーバ３の横フィン３０を上下に回動したとき、ラック部５５が扇形歯部４５に対し摺動し、操作ノブ５を横フィン３０上で横方向に摺動させたとき、ラック部５５と扇形歯部４５を介して後可動ルーバ４の縦フィン４０が左右に回動して風向を調整する。操作ノブ５の上流側上面に上遮蔽壁５３がラック部５５の上部を覆うように突設され、操作ノブ５の上流側下面に下遮蔽壁５４がラック部５５の下部を覆うように突設される。【選択図】図１
2010115972.tif 000002
【特許請求の範囲】
【請求項１】
流路内の上流側に後可動ルーバが配設される一方、該流路内の下流側に前可動ルーバが配設され、該後可動ルーバの縦フィンの下流側部に扇形歯部が設けられ、該前可動ルーバの横フィンに操作ノブが摺動可能に外嵌され、該操作ノブの上流側部に該扇形歯部に噛合するラック部が設けられ、該操作ノブにより該前可動ルーバの横フィンを上下に回動したとき、該ラック部が該扇形歯部に対し摺動し、該操作ノブを該横フィン上で横方向に摺動させたとき、該ラック部と該扇形歯部を介して該後可動ルーバの縦フィンが左右に回動して風向を調整するレジスタにおいて、
該操作ノブの上流側上面に上遮蔽壁が該ラック部の上部を覆うように突設され、該操作ノブの上流側下面に下遮蔽壁が該ラック部の下部を覆うように突設されたことを特徴とするレジスタ。
【請求項２】
前記操作ノブの上遮蔽壁の前面が前記操作ノブの上面に対し傾斜して結合する傾斜面として形成され、該操作ノブの下遮蔽壁の前面が該操作ノブの下面に対し傾斜して結合する傾斜面として形成されたことを特徴とする請求項１記載のレジスタ。
【請求項３】
前記前可動ルーバが１枚の横フィンから構成されることを特徴とする請求項１記載のレジスタ。
【発明の詳細な説明】
【技術分野】
【０００１】
本発明は、自動車の車内等の換気や空調の空気吹出口に使用されるレジスタに関し、特に前可動ルーバのフィンに操作ノブが摺動可能に外嵌され、操作ノブを用いて風向を調整する空気吹出調整用のレジスタに関する。
【背景技術】
【０００２】
従来、この種のレジスタとして、通風路を形成するベゼル内に、横可動ルーバと縦可動ルーバを前後して配設し、前方に位置する横可動ルーバの中央部の横フィンに、操作ノブ（把手）を可動的に取り付けてなるレジスタが、下記の特許文献１などで知られている。
【０００３】
この従来のレジスタは、操作ノブが、横可動ルーバの中央部の横フィン上に、その軸方向（横方向）に摺動可能に嵌合されると共に、その横可動ルーバの横フィンと共に上下に回動可能に設けられ、操作ノブの奥部（後部）にラック部（平行歯部）が形成され、そのラック部が後方に位置する縦可動ルーバの縦フィンの扇形歯部に噛合するようになっている。
【０００４】
風の向きを左右に調整する場合、操作ノブを横可動ルーバの横フィン上で左又は右に摺動させると、ラック部と扇形歯部の噛合により、後の縦可動ルーバの向きが左右に回動し、風の向きを上下に調整する場合、操作ノブを横可動ルーバの横フィンと共に上又は下に回動させて風の向きを調整する。
【特許文献１】実公平８−９５６１号公報
【発明の開示】
【発明が解決しようとする課題】
【０００５】
このような操作ノブの奥部に設けられるラック部は、操作ノブを横フィンと共に上下に回動させたとき、縦可動ルーバの縦フィンの扇形歯部との噛合を保持しながら回動させるために、その上下幅が比較的大きく形成されている。
【０００６】
このため、操作ノブを上または下に振ったとき、操作ノブの奥部（後部）に設けたラック部がレジスタの正面から見え、レジスタの見栄えが悪化し易い。
【０００７】
近年、意匠性やデザイン的なデマンドから、左右横方向に長く、上下縦方向に短い横長で上下幅の狭い空気吹出口を有し、前可動ルーバに１枚或いは２，３枚の横フィンを設けたレジスタが開発されている。
【０００８】
この種の横長で縦幅の狭い空気吹出口のレジスタにおいても、特に１枚のみの横フィンを前可動ルーバに設けたレジスタの場合、横フィンの上部と下部の空間が比較的広く形成されるため、その横フィンに摺動可能に外嵌された操作ノブを上にまたは下に振ったとき、操作ノブの奥部（後部）に設けたラック部が正面から見え易く、レジスタの見栄えが悪化し易いという課題があった。
【０００９】
本発明は、上記の点に鑑みてなされたもので、操作ノブを上または下に振ったときの見栄えを向上させることができるレジスタを提供することを目的とする。
【課題を解決するための手段】
【００１０】
上記目的を達成するために、本発明の請求項１のレジスタは、流路内の上流側に後可動ルーバが配設される一方、該流路内の下流側に前可動ルーバが配設され、該後可動ルーバの縦フィンの下流側部に扇形歯部が設けられ、該前可動ルーバの横フィンに操作ノブが摺動可能に外嵌され、該操作ノブの上流側部に該扇形歯部に噛合するラック部が設けられ、該操作ノブにより該前可動ルーバの横フィンを上下に回動したとき、該ラック部が該扇形歯部に対し摺動し、該操作ノブを該横フィン上で横方向に摺動させたとき、該ラック部と該扇形歯部を介して該後可動ルーバの縦フィンが左右に回動して風向を調整するレジスタにおいて、該操作ノブの上流側上面に上遮蔽壁が該ラック部の上部を覆うように突設され、該操作ノブの上流側下面に下遮蔽壁が該ラック部の下部を覆うように突設されたことを特徴とする。
【００１１】
なお、ここで、上流側、下流側とは流路内を流れる空気流の上流側、下流側を意味し、前、後とは、レジスタの正面側を前、レジスタの背面側を後とし、各部材においては、上流側が後部、下流側が前部となる。また、左、右とは、レジスタの正面に向かい、その左方向または右方向を意味する。
【００１２】
この発明によれば、操作ノブの上遮蔽壁がラック部の上部を覆い、操作ノブの下遮蔽壁がラック部の下部を覆うため、操作ノブを正面に真直ぐ向けた状態でラック部が上遮蔽壁と下遮蔽壁により正面視から隠されることは勿論のこと、操作ノブを下に振ったとき、ラック部の上部がその上遮蔽壁により隠される一方、操作ノブを上に振ったとき、ラック部の下部がその下遮蔽壁により隠され、これにより、ラック部が正面からは殆ど見えなくなり、レジスタの見栄えを向上させることができる。
【００１３】
請求項２の発明は、上記請求項１のレジスタにおいて、上記操作ノブの上遮蔽壁の下流側面が該操作ノブの上面に対し傾斜して結合する傾斜面として形成され、該操作ノブの下遮蔽壁の下流側面が該操作ノブの下面に対し傾斜して結合する傾斜面として形成されたことを特徴とする。
【００１４】
この発明によれば、操作ノブの上面または下面から上遮蔽壁または下遮蔽壁にかけてなだらかな傾斜面に形成することができ、レジスタの正面からの見栄えを一層向上させることができる。
【００１５】
請求項３の発明は、上記請求項１のレジスタにおいて、上記前可動ルーバが１枚の横フィンから構成されることを特徴とする。
【００１６】
この発明によれば、前可動ルーバが１枚の横フィンから構成されるので、横フィンの上方空間と下方空間が比較的広くなって、操作ノブの後部（奥部）が正面から見え易いところ、操作ノブの上遮蔽壁と下遮蔽壁により後部のラック部が良好に隠れ、レジスタの正面からの見栄えを向上させることができる。
【発明の効果】
【００１７】
本発明のレジスタによれば、操作ノブの上遮蔽壁がラック部の上部を覆い、操作ノブの下遮蔽壁がラック部の下部を覆うため、操作ノブを正面に真直ぐ向けた状態でラック部が上遮蔽壁と下遮蔽壁により正面視から隠されることは勿論のこと、操作ノブを下に振ったとき、ラック部の上部がその上遮蔽壁により隠され、操作ノブを上に振ったときは、ラック部の下部がその下遮蔽壁により隠され、これによって、ラック部はレジスタの正面から殆ど見えなくなり、レジスタの見栄えを向上させることができる。
【発明を実施するための最良の形態】
【００１８】
以下、本発明の実施の形態を図面に基づいて説明する。図１はレジスタの正面図を示し、図２はそのII−II断面図を示し、図３はそのIII-III断面図を示している。また、図４は操作ノブ５と前可動ルーバ３の横フィン３０の部分斜視図を示している。図１において、１は前面に空気吹出口１１を形成したベゼルであり、ベゼル１の後部背面側にはリテーナ２に連結するための嵌合部が設けられ、その嵌合部にリテーナ２が嵌合・接続される。
【００１９】
ベゼル１の空気吹出口１１の内側の左右側壁には、横フィン３０用の軸受孔が形成される一方、ベゼル１の前面左側にダンパノブ用開口部が形成され、そこに、図示を省略したダンパ用のダンパノブ６が配置される。リテーナ２は、略矩形のダクト状に形成され、内部に流路２１が形成され、その前部（下流側縁部）の上壁と下壁に、後可動ルーバ４の縦フィン４０，４０ａ用の軸受孔が所定間隔で形成される。
【００２０】
図２、図３に示すように、前可動ルーバ３は、１枚の横フィン３０を水平横方向に設けて構成され、横フィン３０が上下に回動可能に支持される。横フィン３０の両側には回動軸３１が突設され、その回動軸３１は、ベゼル１の両側側壁の軸受孔に挿通され、回動可能に支持されている。
【００２１】
図１、図２に示すように、前可動ルーバ３の横フィン３０上の右側寄りに、横フィン３０を上下に回動させ且つ後可動ルーバ４の縦フィン４０，４０ａを左右に回動するため操作ノブ５が、横フィン３０上を左右横方向に摺動可能に装着される。
【００２２】
操作ノブ５が摺動可能に装着される横フィン３０の後縁部つまり下流側縁部には、図２、図３に示すように、略三角形断面のガイド溝３２が形成され、ガイド溝３２には、後述の操作ノブ５のガイド爪５６（図８）が係合し、操作ノブ５は横フィン３０上をその軸方向（左右横方向）に所定の範囲で摺動可能となっている。また、図示は省略されているが、操作ノブ５が摺動する横フィン３０上の範囲内に、凸条が長手方向（摺動方向）に沿って直線状に細く突設され、操作ノブ５の摺動時、摩擦抵抗を小さくし、ガタつきなくスムーズに摺動するようにしている。
【００２３】
操作ノブ５は、図１、図２に示すように、上記前可動ルーバ３と後可動ルーバ４の向きを調整するために、前可動ルーバ３の横フィン３０上の右寄りに、摺動可能に外嵌される。操作ノブ５は、図３〜図１０に示すように、横フィン３０の下部を覆う形状に形成されたノブ本体５０と、ノブ本体５０の上開口部を覆うようにその上側に嵌着され、ノブ本体５０と共に横フィン３０を包囲するノブカバー５１と、ノブ本体５０の後部つまり上流側部に一体形成されるラック部５５と、ノブカバー５１内に嵌着され、横フィン３０の下流側縁部に接触して適度な操作荷重を付与する荷重付与部材５２と、から構成される。
【００２４】
ノブ本体５０は、図９、図１０に示すように、横フィン３０の下側を覆って収容するように、浅い方形の容器状に形成され、その内側前部（下流側部）中央に収容部５９が設けられる。その荷重付与部材５２に操作荷重を付与する荷重付与部材５２が収容される。操作ノブ５は、そのノブ本体５０により横フィン３０の下部を覆うようにし、横フィン３０の上部をノブカバー５１で覆うように横フィン３０を包囲して、ノブ本体５０の上にノブカバー５１を嵌着し、装着される。
【００２５】
図９に示すように、ノブ本体５０の前部（下流側端部）に、ノブカバー５１の前部内側に係止される１対の係止爪５０ａと１対の鈎部５０ｂが突設され、ノブ本体５０とノブカバー５１の嵌合時、係止爪５０ａ、鈎部５０ｂはノブカバー５１の前部内側に係止される。一方、図１０に示すように、ノブカバー５１の後部（上流側端部）に１対の係止爪５８が突設され、ノブ本体５０の後部の壁部にはその係止爪５８に対応した位置に矩形の係止穴５７が設けられ、ノブカバー５１をノブ本体５０上に嵌め合わせたとき、係止爪５８が係止穴５７に嵌合し、嵌着される構造となっている。
【００２６】
荷重付与部材５２は、例えばオイルを含浸したシリコンゴムから形成され、その接触押圧面に２個の突出部が間隔をおいて形成され、２個の突出部を横フィン３０の前部（下流側縁部）に接触させ、適度な押圧荷重で押圧し、操作ノブ５の操作時に適度な操作荷重を生じさせる。
【００２７】
図６、図９に示すように、ノブ本体５０の後部（上流側端部）にラック部５５が、ノブ本体５０の水平面に対し略垂直に立設される。このラック部５５の歯は、後可動ルーバ４の縦フィン４０ａに設けた扇形歯部４５と同じピッチで噛合可能に形成され、且つ操作ノブ５を上下に回動したとき、ラック部５５が扇形歯部４５に対し噛合を保持しながら摺動するように、ラック部５５の各歯は縦に円弧状に形成されている。ノブ本体５０の後部に立設されたラック部５５は、図８、図９に示すように、ノブ本体５０上にノブカバー５１を嵌着した状態で、操作ノブ５の後部（上流側端部）に位置することとなる。
【００２８】
さらに、図８、図９に示すように、操作ノブ５のノブカバー５１における後部の上流側上面に、上遮蔽壁５３がラック部５５の上部を覆うように突設され、この上遮蔽壁５３の下流側面は、ノブカバー５１の上面に対し傾斜して結合する傾斜面として形成されている。同様に、ノブ本体５０の後部上流側下面に、下遮蔽壁５４がラック部５５の下部を覆うように突設され、この下遮蔽壁５４の下流側面は、ノブ本体５０の下面に対し傾斜して結合する傾斜面として形成されている。
【００２９】
これにより、操作ノブ５の上遮蔽壁５３がラック部５５の上部を覆い、操作ノブ５の下遮蔽壁５４がラック部５５の下部を覆うため、操作ノブ５を正面に真直ぐ向けた状態で、ラック部５５が上遮蔽壁５３と下遮蔽壁５４により正面視から隠されることは勿論のこと、操作ノブ５を下に振ったとき、ラック部５５の上部がその上遮蔽壁５３により隠される一方、操作ノブ５を上に振ったとき、ラック部５５の下部がその下遮蔽壁５４により隠され、ラック部５５が正面からは殆ど見えず、レジスタの見栄えを良くするようにしている。
【００３０】
操作ノブ５を横フィン３０に組み付ける場合、横フィン３０、ノブ本体５０、及びノブカバー５１の上下を反転させた状態とし、先ず、荷重付与部材５２をノブカバー５１内の収容部５９内に嵌め込み、次に、横フィン３０の後縁部（上流側縁部）をノブカバー５１内に入れ、そのガイド溝３２にガイド爪５６を嵌め込み、横フィン３０の前縁部（下流側縁部）を荷重付与部材５２に当接させてセットする。
【００３１】
この状態で、ノブ本体５０の前縁部の係止爪５０ａ、鈎部５０ｂをノブカバー５１の前部内側の係止部に嵌め、次に、ノブカバー５１の後縁部の係止爪５８をノブ本体５０の後縁部の係止穴５７を嵌め込むように、ノブカバー５１をノブ本体５０に対し押し付けて、組み付ける。これにより、操作ノブ５は、図４のように、横フィン３０上に、摺動可能に装着され、操作ノブ５内に配設された荷重付与部材５２の凸部が、横フィン３０の前縁部に適度な荷重で当接し、横フィン３０の上面と下面の凸条が操作ノブ５の内面に接触する状態で装着される。
【００３２】
後可動ルーバ４は、図２、図３に示すように、複数の縦フィン４０をリテーナ２内に一定の間隔で回動可能に縦に配置し、それらの回動軸４１を、クランク４２を介してリンクバー４４で相互に連結して構成される。各縦フィン４０の上部と下部には回動軸４１が突設され、それらの回動軸４１は、リテーナ２内の上壁と下壁に設けた軸受孔に回動可能に嵌合される。各縦フィン４０の下部の回動軸にクランク４２が連結され、これらのクランク４２がリンクバー４４により相互に連結される。このリンク機構はリテーナ２の上壁の上に配設され、後可動ルーバ４の各縦フィン４０，４０ａの方向を変えるようになっている。
【００３３】
さらに、図２、図３に示すように、後可動ルーバ４の右寄りの１本の縦フィン４０ａには、その前部に、扇形に各歯を並設した扇形歯部４５が前方に突出して設けられている。この扇形歯部４５は、その前方に位置する横フィン３０に装着される操作ノブ５のラック部５５と係合して配設され、操作ノブ５の左右方向への操作に伴い、縦フィン４０ａに左右への回動力を伝達し、クランク４２、リンクバー４４を介して後可動ルーバ４の全ての縦フィン４０，４０ａに回動力を伝達するようになっている。
【００３４】
上記構成のレジスタは、自動車の車内のインストルメントパネルやダッシュボードの部分に、そのリテーナ２の末端を図示しない通風ダクトに接続するようにして装着される。通風ダクトから送られる空気は、リテーナ２内の流路２１から空気吹出口１１を通して吹き出される。
【００３５】
空気の吹出向きを上または下に調整する場合、図１１に示すように、前可動ルーバ３の横フィン３０上の操作ノブ５を上または下に回動させて調整する。操作ノブ５を持って上または下に回動させると、図１１のように、操作ノブ５が装着された横フィン３０がその回動軸３１を軸に上または下に回動する。
【００３６】
操作ノブ５を下方に振った（回動した）とき、図１１（ａ）のように、操作ノブ５の後部のラック部５５の上部がレジスタの正面から見えやすいが、ノブカバー５１の上遮蔽壁５３がラック部５５の上部を覆い、ラック部５５の上部がその上遮蔽壁５３により隠される。これにより、ラック部５５が正面からは殆ど見えなくなり、レジスタの見栄えを向上させることができる。
【００３７】
同様に、操作ノブ５を上方に振った（回動した）とき、図１１（ｂ）のように、操作ノブ５の後部のラック部５５の下部がレジスタの正面から見えやすいが、ノブ本体５０の下遮蔽壁５４がラック部５５の下部を覆い、ラック部５５の下部がその下遮蔽壁５４により隠される。これにより、ラック部５５が正面からは殆ど見えなくなり、レジスタの見栄えを向上させることができる。
【００３８】
一方、空気の吹出向きを左右に調整する場合、操作ノブ５を左または右に移動させて調整する。操作ノブ５を持って左または右に動かすと、操作ノブ５は横フィン３０上を摺動し、このとき、図２に示す如く、操作ノブ５内では、荷重付与部材５２の突出部が横フィン３０の前縁部（下流側縁部）に接触し、荷重付与部材５２の突出部と横フィン３０の前縁部間の摩擦抵抗により、適度な操作荷重が発生し、良好な操作荷重、つまり優れたフィーリングで、操作ノブ５を左右に動かして風向を調整することができる。
【００３９】
そして、操作ノブ５を横方向に動かすことにより、操作ノブ５のラック部５５が扇形歯部４５を回動させ、それにより、後可動ルーバ４の縦フィン４０ａがその回動軸４１を支点に左右に回動し、その回動力がクランク４２、リンクバー４４を介して他の縦フィン４０に伝達され、各縦フィン４０がその回動軸４１を支点に回動し、縦フィン４０の左右方向の向きが回動軸４１を軸にして変化し、空気の吹出方向が左右に調整される。
【００４０】
このように、操作ノブ５の上遮蔽壁５３がラック部５５の上部を覆い、操作ノブ５の下遮蔽壁５４がラック部５５の下部を覆うため、操作ノブ５を正面に真直ぐ向けた状態でラック部５５が上遮蔽壁５３と下遮蔽壁５４により正面視から隠されることは勿論のこと、操作ノブ５を下に振ったとき、ラック部５５の上部がその上遮蔽壁５３により隠され、操作ノブ５を上に振ったときは、ラック部５５の下部がその下遮蔽壁５４により隠され、これによって、ラック部５５はレジスタの正面から殆ど見えなくなり、レジスタの見栄えを向上させることができる。
【００４１】
なお、本発明のレジスタは、上記実施形態に限定されるものではなく、以下のような態様でも実施することができる。
【００４２】
１．上記実施形態では、ノブ本体５０の後部にラック部５５を一体に立設したが、ノブカバー５１の後部にラック部を一体形成し、或いはラック部を操作ノブのノブ本体またはノブカバーの後部に嵌着させる構造とすることもできる。
【００４３】
２．上記実施形態では、上記上遮蔽壁５３、下遮蔽壁５４の下流側面（前部）を傾斜面としたが、その面を曲面とし、ノブ本体５０またはノブカバー５１の上面からその曲面になだらかに続くように構成することもできる。
【００４４】
３．上記実施形態では、ノブカバー５１に上遮蔽壁５３を一体成形し、ノブ本体５０に下遮蔽壁５４を一体成形しているが、操作ノブの奥行きが長い場合には、上遮蔽壁を、ラック部の下流側でノブ本体に一体成形してもよい。この場合も、ノブカバーをノブ本体に組み付けた状態では、ノブカバー上面と上遮蔽壁の下流側面の位置関係は上記実施形態と同等にできるため、見栄えを損なうことはない。
【図面の簡単な説明】
【００４５】
【図１】本発明の一実施形態を示すレジスタの正面図である。
【図２】同レジスタのII-II断面図である。
【図３】同レジスタのIII-III断面図である。
【図４】横フィンと操作ノブの斜視図である。
【図５】操作ノブの正面図である。
【図６】操作ノブの背面図である。
【図７】操作ノブの平面図である。
【図８】操作ノブの左側面図である。
【図９】操作ノブの分解斜視図である。
【図１０】ノブカバーの上下を反転させてその内側を荷重付与部材と共に見たときの平面図である。
【図１１】（ａ）は操作ノブを下に振ったときの縦断面図、（ｂ）は操作ノブを上に振ったときの縦断面図である。
【符号の説明】
【００４６】
１      ベゼル
２      リテーナ
３      前可動ルーバ
４      後可動ルーバ
５      操作ノブ
１１    空気吹出口
２１    流路
３０    横フィン
３１    回動軸
４０    縦フィン
４０ａ  縦フィン
４１    回動軸
４２    クランク
４４    リンクバー
４５    扇形歯部
５０    ノブ本体
５１    ノブカバー
５２    荷重付与部材
５３    上遮蔽壁
５４    下遮蔽壁
５５    ラック部
【図１】
2010115972.tif 000003
【図２】
2010115972.tif 000004
【図３】
2010115972.tif 000005
【図４】
2010115972.tif 000006
【図５】
2010115972.tif 000007
【図６】
2010115972.tif 000008
【図７】
2010115972.tif 000009
【図８】
2010115972.tif 000010
【図９】
2010115972.tif 000011
【図１０】
2010115972.tif 000012
【図１１】
2010115972.tif 000013